(57)【要約】【課題】入退室管理装置で、第三者に暗証番号を知られることなく、暗証番号を入力できるようにする。【解決手段】個人識別装置２のカードリーダ２ａに操作する個人カードに、識別データを格納する。  利用者が上記個人カードをカードリーダ２ａに操作すると、カードリーダ２ａは個人カード内の識別データを読み込み、その識別データに対応する暗証番号入力用のキー内容と配列を、暗証番号入力装置２ｂの画面上に表示する。利用者が上記表示されたキー内容と配列により暗証番号を入力すると、その正否が判定される。【選択図】      図１
2005076377.tif 000002
【特許請求の範囲】
【請求項１】
通行場所に、暗証番号入力用のキーの内容と配列が表示される暗証番号入力装置と、個人カードが操作されるカードリーダとを有する個人識別装置が設置され、上記暗証番号入力装置に入力された暗証番号が正であればその場所の通行を許可する装置において、識別データが格納された上記個人カードを設け、この個人カードが上記カードリーダに操作されると、上記暗証番号入力装置に上記識別データに対応する上記暗証番号入力用のキーの内容と配列を表示する入力案内手段を備えたことを特徴とする入退室管理装置。
【請求項２】
識別データは、各個人カードごとに設定するものとしたことを特徴とする請求項１記載の入退室管理装置。
【請求項３】
キーの配列は、数字、ひらがな、アルファベット、絵文字等の組合せからなるものとしたことを特徴とする請求項１記載の入退室管理装置。
【請求項４】
複数の個人カードに格納する複数の識別データとキー配列及び上記個人カードごとの暗証番号を設定する中央制御装置を有し、この中央制御装置から上記個人識別装置に、上記キー配列及び暗証番号を送信するダウンロード手段を設けたことを特徴とする請求項１記載の入退室管理装置。
【発明の詳細な説明】
【技術分野】
【０００１】
この発明は、表示された配列キーを操作して入力された暗証番号を判定して入退室を管理する装置に関するものである。
【背景技術】
【０００２】
近来の暗証番号の入力装置においては、タッチパネルを重ねた状態で暗証番号入力画面を表示し、かつ、操作者がタッチパネルをタッチすることによって所定の情報が入力される表示・入力装置と、前記暗証番号入力画面に表示されたテンキーの各数字キーの位置をランダムに変更するテンキー制御手段とを有する構成となっている（例えば、特許文献１参照）。
【０００３】
【特許文献１】特開２０００−９９８０１号公報（段落００１０、図１）
【発明の開示】
【発明が解決しようとする課題】
【０００４】
従来の暗証番号の入力装置では、テンキーの各数字キーの表示位置を変更するようにしているため、第三者が何らかの手段で暗証番号を知ってしまうと、数字キーの位置が変わっても、暗証番号の入力が可能となり、個人カードの所有者になりすましたり、個人カードを悪用したりすることを防止できないという問題点がある。
【０００５】
この発明は上記問題点を解消するためになされたもので、第三者に暗証番号を知られることなく、暗証番号を入力することができる守秘性が高い入退室管理装置を提供することを目的とする。
【課題を解決するための手段】
【０００６】
この発明に係る入退室管理装置は、識別データが格納された個人カードがカードリーダーに操作されると、暗証番号入力装置に、識別データに対応する暗証番号入力用のキー内容と配列を表示するようにしたものである。
【発明の効果】
【０００７】
この発明は、個人カードがカードリーダに操作されると、この個人カードに格納された識別カードに対応するキーの内容と配列を表示し、この表示に従って暗証番号を入力するようにしたので、第三者に暗証番号を知られることなく、暗証番号を入力することができる。
【発明を実施するための最良の形態】
【０００８】
実施の形態１．
図１〜図５は、この発明の一実施の形態を示す図で、図１はブロック線図、図２はキー配列データ設定図、図３は暗証番号設定図、図４はダウンロード動作フローチャート、図５は照合動作フローチャートである。
図１において、コンピュータで構成された中央制御装置１には、利用者が操作する個人識別装置２が接続されており、個人識別装置２には利用者が保持する個人カードが操作されるカードリーダ２ａ及びタッチパネル等を介して暗証番号が入力される画面を持つ暗証番号入力装置２ｂが配置されている。
【０００９】
図２に示す、キー配列データ３には、個人カード内に登録された識別データに対応するキー内容と配列が記録されている。なお、キー内容は数字及びアルファベットで示している。また、図３に示す暗証番号データ４には、個人カード保持者ごとに、カード内識別データ及び暗証番号が記録されている。
【００１０】
次に、この実施の形態の動作を図４及び図５を参照して説明する。
（１）中央制御装置１とカードリーダ２ａ及び暗証番号入力装置２ｂとのダウンロード処理動作（図４）
ステップＳ１で中央制御装置１は識別データごとのキー内容と配列（図２参照）を設定する。
【００１１】
ステップＳ２で中央制御装置１はガード保持者ごとの暗証番号（図３参照）を設定する。ステップＳ３で識別データを各個人カードに格納する。ステップＳ４で中央制御装置１から個人識別装置２へキー内容と配列及び暗証番号をダウンロードし、ステップＳ５で個人識別装置２は上記ダウンロードされたキー内容と配列及び暗証番号を記憶する。
【００１２】
（２）個人識別装置２での個人カードと暗証番号との照合動作（図５）
ステップＳ１１でカードリーダ２ａは個人カードが操作されるのを待つ。カード操作されるとステップＳ１２へ進み、操作された個人カード内に格納された識別データを読み込み、該当するキー内容と配列を図２から検索する。ステップＳ１３で該当するキー内容と配列があるか判断し、該当データがなければステップＳ１１へ戻り、該当データがあればステップＳ１４へ進み、暗証番号入力装置２ｂにキー内容と配列を表示する。
【００１３】
ステップＳ１５で暗証番号入力装置２ｂに暗証番号が入力されたかを判定する。入力されなければステップＳ１１へ戻る。利用者がステップＳ１４による表示に従って、キー操作して暗証番号を入力すると、ステップＳ１６へ進み、入力された暗証番号が、図３で示されるカード保持者ごとの暗証番号と合致するかを判断する。合致しなければステップＳ１１へ戻り、合致すればステップＳ１７でその場所の通行許可を与える。例えば、その場所に設けられた電気錠を解錠する。
【００１４】
ここで、ステップＳ４はダウンロード手段を、ステップＳ１１〜Ｓ１４は入力案内手段を構成している。
このようにして、個人カードに格納された識別データに対応するキー内容と配列を暗証番号入力装置２ｂに表示して、暗証番号を入力させるようにしたため、第三者に暗証番号を知られることなく、暗証番号を入力することができ、守秘性を向上することが可能となる。また、キー内容と配列は個人カード内の識別データによって決定されるため、誤操作を減らすことが可能となる。
【００１５】
なお、上記実施の形態１では、個人カードに格納された識別データに対応するキーの配列を表示するものとしたが、機能（ファンクション）キー操作、一定時間の間隔、時刻、操作回数などと、個人カード内の識別データを組み合わせ、これに対応するキーの内容と配列を表示するようにしてもよい。
【図面の簡単な説明】
【００１６】
【図１】この発明の実施の形態１を示すブロック線図。
【図２】この発明の実施の形態１を示すキー配列データ設定図。
【図３】この発明の実施の形態１を示す暗証番号設定図。
【図４】この発明の実施の形態１を示すダウンロード動作フローチャート。
【図５】この発明の実施の形態１を示す照合動作フローチャート。
【符号の説明】
【００１７】
１  中央制御装置、２  個人識別装置、２ａ  カードリーダ、２ｂ  暗証番号入力装置。３  キー配列データ、４  暗証番号データ。
Ｓ４  ダウンロード手段、Ｓ１１〜Ｓ１４  入力案内手段。
【図１】
2005076377.tif 000003
【図２】
2005076377.tif 000004
【図３】
2005076377.tif 000005
【図４】
2005076377.tif 000006
【図５】
2005076377.tif 000007